(57)【要約】【課題】点灯周波数を制御して所望の点灯条件で露光ランプを点灯し、原稿の照明ができるようにする。【解決手段】本体制御部せずからのランプ点灯信号により、ランプをインバータ周波数ｆ１で点灯して（Ｓ１０１）、ＣＣＤで読み取る（Ｓ１０２）。ＣＣＤ出力のＡ／Ｄ変換されたデジタルデータは、画像データ比較回路部に入力され、入力された画像データは、予め設定してあるＣＣＤ出力目標値と比較される（Ｓ１０３）。この比較で、目標値と画像データが等しくない場合は、再度ＣＣＤの出力データを読み取る（Ｓ１０３→Ｓ１０２）。目標値と画像データが等しくなった場合は、インバータに入力されている周波数をｆ１→ｆ０へ変更して（Ｓ１０４）から、コピー動作に入り（Ｓ１０５）、コピー動作終了後ランプが消灯される（Ｓ１０６）。【選択図】図１３
2006211124.tif 000002
【特許請求の範囲】
【請求項１】
原稿を露光ランプで照射してその反射光を光電変換素子で受光し、原稿画像に対する電気信号をライン単位で読み取る画像読み取り装置において、
各ラインの読み取り開始タイミングを規定するライン同期信号にインバータの発振回路を同期制御し、発生したランプ点灯パルスに基づいて前記露光ランプを点灯させる手段を備え、
前記露光ランプを点灯させる手段は、１ライン当りの点灯パルス数が一定、かつ任意のシフト間隔で副走査方向にパルス発生位置が重複しないように前記ランプ点灯パルス発生タイミングを切り替えることを特徴とする画像読み取り装置。
【請求項２】
前記ランプ点灯パルス発生タイミングのシフト間隔を読み取りモードに応じて変更することを特徴とする請求項１記載の画像読み取り装置。
【請求項３】
前記ランプ点灯パルス発生タイミングのシフトステップ数を読み取りモードに応じて変更することを特徴とする請求項１記載の画像読み取り装置。
【請求項４】
前記ランプ点灯パルス発生タイミングの切り替えを読み取りモードに応じて制御することを特徴とする請求項１記載の画像読み取り装置。
【請求項５】
前記読み取りモードが、カラー／白黒モード、および／または文字／写真モードであることを特徴とする請求項２ないし４のいずれか１項に記載の画像読み取り装置。
【請求項６】
前記ランプ点灯パルス発生タイミングの基準となるクロック信号を外部から入力する手段を備えていることを特徴とする請求項１記載の画像読み取り装置。
【請求項７】
露光ランプを点灯させるためのインバータ回路と、
前記インバータ回路に入力する露光ランプ点灯信号及び前記露光ランプを点灯するためのパルスを制御する制御回路と、
を有し、原稿を露光ランプで照射してその反射光を光電変換素子で受光し、原稿画像に対する電気信号をライン単位で読み取る画像読み取り装置において、
パルスの周波数を変更することにより前記露光ランプの光量を変化させ、前記光電変換素子の出力を変更する周波数変更手段を備え、
前記周波数変更手段は、前記露光ランプの最小光量での点灯の立上り時には、前記制御回路からのパルスの周波数を最小光量での点灯パルス周波数より高くすることを特徴とする画像読み取り装置。
【請求項８】
前記露光ランプの光量変更は、前記光電変換素子からのデータに基づいて前記制御回路からのパルス周波数を変更することにより行われることを特徴とする請求項７記載の画像読み取り装置。
【請求項９】
前記露光ランプの点灯立ち上がり時の前記光電変換素子からのデータが一定の出力になるように、前記パルス周波数を変更することを特徴とする請求項７記載の画像読み取り装置。
【請求項１０】
前記パルス周波数の変更は、複数の段階を経て行われることを特徴とする請求項７ないし９のいずれか１項に記載の画像読み取り装置。
【請求項１１】
請求項１ないし１０のいずれか１項に記載の画像読み取り装置を備えていることを特徴とする画像形成装置。
【発明の詳細な説明】
【技術分野】
【０００１】
本発明はインバータを使用した画像読み取り装置及びこの画像読み取り装置を備えた複写機あるいはファクシミリなどの画像形成装置に係り、特に、露光ランプの点灯制御に関する。
【背景技術】
【０００２】
従来の画像読み取り装置において各ラインの読み取り周期と光量制御周期ランプ点灯周期が非同期であるために、１ライン周期に対してランプ点灯周期が十分に小さくない場合には、１ライン周期の中に入るランプ点灯パルス数が各ライン毎にバラツキ、そのバラツキにより各ライン毎の積算光量に差が発生し、副走査方向に読み取り画像の色むらが発生していた。
【０００３】
そこで特許文献１記載の発明では、ランプに給電する給電装置のインバータの発振器を周波数可変発振器とし、該周波数可変発振器からの発振信号を外部同期信号に位相ロックするように周波数可変発振器を制御することにより、光量変動を伴うことなく誘電体バリア放電蛍光ランプを外部同期信号に同期させて発光させていた。
【０００４】
また、特許文献２記載の発明では、放電灯点灯装置において、複数の放電灯に対し相互に位相をずらした、また、位相のずれが等しい間隔となるように複数の放電灯に対する電圧を発生させていた。
【０００５】
また、従来の画像読み取り装置の照明装置は、装置システムの様々な読み取り速度、受光素子に対する必要光量に対し、各装置毎に固有照度の光源をカスタマイズで制作していた。そこで、例えば特許文献３及び４に開示されているように、ライン同期とランプ点灯／消灯の周期を一定にしたり、周波数を変えて調光したりしていた。
【特許文献１】特開２０００−３２３２９２号公報
【特許文献２】特開２００１−２７３９９６号公報
【特許文献３】特開平７−７４８９０号公報
【特許文献４】特開平１１−２６５０５５号公報
【発明の開示】
【発明が解決しようとする課題】
【０００６】
しかし、周波数を変更し、同期させて発光させる方法では、ランプ点灯周波数が変化するのでランプの最適な点灯条件点灯周波数から外れる可能性があり、回路構成も複雑になるという欠点があった。また、光電素子飽和を防ぐため、速度の遅い一般的にはカラーに合わせた光学設計が行われることから、読み取り速度の早いシステムでは必要光量不足を生じ、Ｓ／Ｎの劣化が懸念された。さらに、必要光量の異なる装置システムで同じ光源を使用することができないので、部品種類数の膨大やそれに伴う光量制御の複雑さが問題となっていた。
【０００７】
本発明は、このような従来技術の実情に鑑みてなされたもので、その目的は、インバータを使用して露光ランプを点灯する際、点灯周波数を制御して所望の点灯条件で露光ランプを点灯し、原稿の照明ができるようにすることにある。
【０００８】
他の目的は、ランプ点灯パルス発生タイミングを１ライン当りの点灯パルス数が一定、かつ任意のシフト間隔で副走査方向にランプ点灯パルス発生位置が重複しないように制御することにある。
【０００９】
さらに他の目的は、インバータに入力されるランプ点灯周波数をシステム側より変更して光量を調整できるようにすることにある。
【課題を解決するための手段】
【００１０】
前記目的を達成するため、第１の手段は、原稿を露光ランプで照射してその反射光を光電変換素子で受光し、原稿画像に対する電気信号をライン単位で読み取る画像読み取り装置において、各ラインの読み取り開始タイミングを規定するライン同期信号にインバータの発振回路を同期制御し、発生したランプ点灯パルスに基づいて前記露光ランプを点灯させる手段を備え、前記露光ランプを点灯させる手段は、１ライン当りの点灯パルス数が一定、かつ任意のシフト間隔で副走査方向にパルス発生位置が重複しないように前記ランプ点灯パルス発生タイミングを切り替えることを特徴とする。
【００１１】
第２の手段は、第１の手段において、前記ランプ点灯パルス発生タイミングのシフト間隔を読み取りモードに応じて変更することを特徴とする。
【００１２】
第３の手段は、第１の手段において、前記ランプ点灯パルス発生タイミングのシフトステップ数を読み取りモードに応じて変更することを特徴とする。
【００１３】
第４の手段は、第１の手段において、前記ランプ点灯パルス発生タイミングの切り替えを読み取りモードに応じて制御することを特徴とする。
【００１４】
第５の手段は、第２ないし第４のいずれかの手段において、前記読み取りモードが、カラー／白黒モード、および／または文字／写真モードであることを特徴とする。
【００１５】
第６の手段は、第１の手段において、前記ランプ点灯パルス発生タイミングの基準となるクロック信号を外部から入力する手段を備えていることを特徴とする。
【００１６】
第７の手段は、露光ランプを点灯させるためのインバータ回路と、前記インバータ回路に入力する露光ランプ点灯信号及び前記露光ランプを点灯するためのパルスを制御する制御回路とを有し、原稿を露光ランプで照射してその反射光を光電変換素子で受光し、原稿画像に対する電気信号をライン単位で読み取る画像読み取り装置において、パルスの周波数を変更することにより前記露光ランプの光量を変化させ、前記光電変換素子の出力を変更する周波数変更手段を備え、前記周波数変更手段は、前記露光ランプの最小光量での点灯の立上り時には、前記制御回路からのパルスの周波数を最小光量での点灯パルス周波数より高くすることを特徴とする。
【００１７】
第８の手段は、第７の手段において、前記露光ランプの光量変更は、前記光電変換素子からのデータに基づいて前記制御回路からのパルス周波数を変更することにより行われることを特徴とする。
【００１８】
第９の手段は、第７の手段において、前記露光ランプの点灯立ち上がり時の前記光電変換素子からのデータが一定の出力になるように、前記パルス周波数を変更することを特徴とする。
【００１９】
第１０の手段は、第７ないし第９の手段において、前記パルス周波数の変更は、複数の段階を経て行われることを特徴とする。
【００２０】
第１１の手段は、第１ないし第１０のいずれかの手段に係る画像読み取り装置を画像形成装置が備えていることを特徴とする。
【発明の効果】
【００２１】
本発明によれば、１ライン当りの点灯パルス数が一定、かつ任意のシフト間隔で副走査方向にパルス発生位置が重複しないように前記ランプ点灯パルス発生タイミングを切り替えるので、また、周波数変更手段により点灯周波数を変更するので、所望の点灯条件で露光ランプを点灯し、原稿の照明を行うことができる。
【発明を実施するための最良の形態】
【００２２】
以下、本発明の実施形態について図面を参照して説明する。
【００２３】
＜第１の実施形態＞
図１は本発明の第１の実施形態に係るカラー画像読み取り装置の全体構成を示す図である。  
同図において、カラー画像読み取り装置は、スキャナＳＣと自動両面原稿搬送装置ＡＲＤＦから構成されている。スキャナＳＣは原稿を光学的に読み取る機能を有し、自動両面原稿搬送装置ＡＲＤＦはスキャナＳＣの原稿読み取り部に原稿を自動的に給送する機能を有する。また、自動両面原稿搬送装置ＡＲＤＦは自動的に原稿を反転させて原稿の両面をスキャナＳＣで読み取ることができるように原稿を搬送する機能も有する。
【００２４】
スキャナＳＣ自体は公知のものなので、動作とともに構成を簡単に説明する。このスキャナＳＣは、第１キャリッジ３１上に搭載された照明ランプ２及び第１ミラー３と、第２キャリッジ３２上に搭載された第２及び第３ミラー５，４と、レンズ１と、ＣＣＤが搭載されたＳＢＵ１０とを備え、シートスルー位置に固定された第１キャリッジ３１からの読み取り光をＣＣＤに導いて移動する原稿の画像情報を読み取り、また、第１及び第２キャリッジ３１，３２を２対１の走査速度で副走査方向に移動させて固定された原稿の原稿画像を読み取る。
【００２５】
具体的には、原稿台ガラス８上に置かれた原稿は照明ランプ２により照射され、第１ミラー３で反射光を受けて、原稿台下部を移動しながら走査される。走査は、第１及び第２キャリッジ３１，３２が副走査方向に移動しながら行われ、前記第１ミラー３で受けた原稿面からの反射光は第２及び第３ミラー５，４に導かれ、レンズ１によってＳＢＵ１０に搭載されたＣＣＤの結像面に入射し、電気信号に光電変換される。第１ミラー３、照明ランプ２及び第２ミラー５、第３ミラー４をそれぞれ搭載する第１及び２キャリッジ３１，３２は、走行体モータ９を駆動源として、キャリッジホーム位置から最大走査領域方向（図中、左右方向）に移動可能となっている。
【００２６】
一方、自動両面原稿搬送装置ＡＲＤＦでは、原稿台１１の原稿ガイド１２に沿って積載された原稿は、片面原稿読み取りを選択した場合には呼び出しコロ１４、給紙ベルト１６により搬送コロ１５、分離コロ１７、第１搬送ローラによりＤＦ用原稿ガラス６と反射ガイド板２０との間の読み取り位置を経て、第２搬送ローラ２１及び排紙ローラ２３へ送り込まれ、原稿が排出される。ＤＦ用原稿ガラス６前にはレジストセンサ１９が配置されており、読み取り部への紙の進入先端や後端部のタイミングを検知できる。
【００２７】
一方、両面原稿読み取りを選択した場合には、まず原稿の表面の読み取りを前記片面原稿読み取りを選択した場合と同様に実施する。原稿の表面を読み取るときには、呼び出しコロ１４、給紙ベルト１６、搬送コロ１５、分離コロ１７、第１搬送ローラ１８によりＤＦ用原稿ガラス６と反射ガイド板２０との間の読み取り位置（シートスルー読み取り部）を経て、第２搬送ローラ２１及び排紙ローラ２３へと送り込まれる。そして、原稿を排出せずに、分岐爪２４が下方へ切り換えられて反転ローラ２５により反転テーブル２６上へ移送され、原稿の後端が排紙ローラ２３を抜けた後に分岐爪２４が上方へ切り換えられて一旦、反転ローラが停止する。
【００２８】
原稿の裏面の読み取りを実施するためには、一旦、停止していた反転ローラ２５を前記とは逆方向へ回転させることにより原稿が反転テーブル２６から第１搬送ローラ１８の方向へ搬送され、更に第１搬送ローラ１８を経て表面と同様にＤＦ用原稿ガラス６と反射ガイド板２０との間の読み取り位置を経て、第２搬送ローラ２１及び排紙ローラ２３へ送り込まれ、その後、原稿が排出される。
【００２９】
原稿は、表面、裏面の読み取り共にＤＦ用原稿ガラス６と反射ガイド板２０との間の読み取り位置を通過する際に、読み取り位置の近傍に停止している第１キャリッジ３１上のた照明ランプ２により照射され、その反射光は、第１ミラー３及び一体に構成された第２ミラー５、第３ミラー４でレンズ１に導かれる。以下、原稿台に載置した原稿の場合と同様に光電変換される。
【００３０】
自動両面原稿搬送装置ＡＲＤＦの呼び出しコロ１４、給紙ベルト１６、搬送コロ１５、分離コロ１７の給紙機構は図示しない給紙モータにより駆動されている。また、第１搬送ローラ１８、第２搬送ローラ２１、排紙ローラ２３、反転ローラ２５の搬送機構は図示しない搬送モータにより駆動されている。更に、自動両面原稿搬送装置ＡＲＤＦには原稿を検知するために原稿台１７へ原稿がセットされているか否かを検知するセットセンサ１３、原稿サイズを検知するための幅サイズ検知基板２８、原稿長さセンサ２９，３０、原稿の後端を検知するための原稿後端センサ２７が搭載されている。スキャナＳＣ本体にはスキャナＳＣ本体及び自動両面原稿搬送装置ＡＲＤＦを含めたカラー画像読み取り装置の動作制御を行うＳＣＵ７が搭載されている。
【００３１】
図２及び図３は本実施形態に係るカラー画像読み取り装置の全体的な構成を示すブロック図である。
【００３２】
図２において自動両面原稿搬送装置ＡＲＤＦは当該ＡＲＤＦ部に用いる電装部品の電力供給を中継する機能を有するＡＤＵ４２に、レジストセンサ１９．ＡＤＦリフトアップセンサ、原稿セットセンサ１３、ＡＤＦカバーオープンセンサ、排紙センサ２２、反転トレイセンサ、原稿幅サイズ検知センサ２８、原稿長サイズ検知センサ２９，３０、原稿後端検知センサ２７、給紙クラッチ、底板ソレノイド、反転ソレノイド、給紙／反転モータ、搬送モータなどが接続され、電源供給を受けている。
【００３３】
スキャナＳＣは、ＶＩＯＢ３３にＳＣＵ７、ＰＳＵ４４、ＳＢＵ１０、前記ＡＤＵ４２、原稿サイズセンサ（幅、長さ）２９，３０、ホームポジションセンサ、スキャナモータ９、ランプ安定器１１４、ＳＯＰ４３、ＳＷＢ、ＮＩＣ操作パネルなどが接続され、前記ＳＣＵ７にＯＩＰＵ３６、ＮＩＣ４１、ＩＳＩＣ４０等が接続さて構成されている。なお、ランプ安定器１１４は照明用のキセノンランプ２が接続されている。
【００３４】
図３に示すようにＳＢＵ１０上にはＣＣＤ１００が搭載され、ＣＣＤ１００に入光した原稿の反射光はＣＣＤ１００内で光の強度に応じた電圧値を持つアナログ信号に変換され、奇数ビットと偶数ビットに分かれて出力される。前記ＳＢＵ１０のアナログ画像信号は、ＶＩＯＢ３３上でアナログ処理回路１０１で暗電位部分が取り除かれ、奇数ビットと偶数ビットが合成され、所定の振幅にゲイン調整された後にＡ／Ｄコンバータ１０２に入力されデジタル信号化される。
【００３５】
デジタル化された画像信号は、シェーディング部１０３でシェーディング補正され、ＶＩＯＢ３３からＳＣＵ７上のＩＰＵ（イメージプロセッシングユニット）１０４で、ガンマ補正、ＭＴＦ補正等の画像処理が行なわれた後、同期信号、画像クロックとともにビデオ信号として、画像データ記憶手段ＳＤＲＡＭ１０６を管理するメモリコントローラ１０５に入力され、ＳＤＲＡＭで構成される画像メモリに蓄えられる。
【００３６】
画像メモリＳＤＲＡＭ１０６に蓄えられた画像データは、外部Ｉ／Ｆドライバ１０７に送られ、パソコンやプリンタ等の外部出力装置１２０へ転送される。実施形態における外部Ｉ／ＦドライバーはＳＣＳＩ，ＩＥＥＥ１３９４、ＬＡＮなどドライバーやローカルＶｉｄｅｏ信号などを総称している。
【００３７】
ＳＣＵ（スキャナコントロールユニット）７上には、ＣＰＵ１０８、ＲＯＭ１０９、ＲＡＭ１１０、ＮＶＲＡＭ１１１、モータドライバ１１２が実装されており、ＣＰＵ１０８は、スキャナ本体のステッピングモータである走行体モータ９、ＡＲＤＦの給紙モータ（図示せず）、搬送モータ（図示せず）のタイミング制御も行なっている。
【００３８】
ＳＣＵ７上のＣＰＵ１０８に接続されている入力ポートは、ＶＩＯＢ３３を介して本体操作パネルＳＯＰ４３に接続されている。本体操作パネルＳＯＰ４３上にはスタートスイッチ（図示せず）と停止スイッチ（図示せず）が実装されている。それぞれのスイッチが押下されると入力ポートを介してＣＰＵはスイッチがＯＮされたことを検出する。
【００３９】
図４はインバータを使用したランプ点灯回路の回路構成を示す図である。同図において、同期点灯の場合には、各ラインの読み取り開始タイミングを規定するライン同期信号ＴＧ−ＩＮＶ１４２、クロック信号ＣＬＫ１４５、コントロール信号ＣＮＴ１４３及びゲート信号ＧＡＴＥ１４４を入力すると点灯制御部１３５は動作し、インバータ回路を制御する。インバータ回路１３１からの出力は昇圧トランス１３２を経由してランプ１３３に印加される。なおＣＮＴ１４３はランプのＯＮ／ＯＦＦ制御信号、ＧＡＴＥ信号１４４はランプ休止期間の制御信号、１３０は定電圧電源である。
【００４０】
図５は図４におけるインバータの回路構成の一例を示す図である。同図に示すようにランプＯＮ／ＯＦＦ制御信号ＣＮＴ１４３がＨｉｇｈレベルの時、ＴＲ１がオンし、インバータ制御用ＩＣのＩＣ１に電力が供給される。ＩＣ１はスイッチング素子ＦＥＴ１を駆動するためのドライバを内蔵しておりクロック信号１４５に応じて所定の周期で発振し、発振パルスにより内蔵ドライバを駆動し、ドライバの出力によりスイッチング素子ＦＥＴ１が駆動される。駆動信号によりスイッチング素子ＦＥＴ１がＯＮになると、定電圧電源１３０→昇圧トランスの一次側巻線１３２→スイッチング素子ＦＥＴ１の経路で電流が流れ、昇圧トランス１３２にエネルギが蓄えられる。次にスイッチング素子ＦＥＴ１がＯＦＦになり、昇圧トランス１３２に流れていた電流が遮断されると、蓄えられていたエネルギーが放出され、昇圧トランス１３２の一次側、二次側に急峻な立ち上がりを持つ電圧波形が発生する。この電圧波形は時間とともに減衰し、次にスイッチング素子ＦＥＴ１がオンになった後オフになると前記と同様に再び急峻な立ち上がりを持つ電圧波形が発生する。すなわちスイッチング素子ＦＥＴ１をオン／オフする毎に再び急峻な立ち上がりを持つ電圧波形が発生し、ランプ１３３に繰り返し電流が流れ、ランプ１３３が点灯し、光が放出される。またインバータ制御ＩＣ１は、１ＧＡＴＥ信号４４が入力される期間は出力を停止する。
【００４１】
なお、図４に示すようにインバータの外部から入力するクロック信号ＣＬＫ１４５に応じてインバータは所定の周期で発振する。クロック信号ＣＬＫ１４５をインバータ外部とすることによりＦＥＴ、トランス等のインバータ発熱部品から受ける熱の影響を軽減でき、発振精度を向上することができる。
【００４２】
制御信号のタイミングチャートを図６及び図７に示す。図６はランプＯＮ／ＯＦＦ信号ＣＮＴとライン同期信号ＴＧ−ＩＮＶのタイミングを示したものでランプＯＮ／ＯＦＦ信号ＣＮＴとは別に点灯周波数の位相同期をとる目的でライン同期信号ＴＧ−ＩＮＶを供給する。なおランプＯＮ／ＯＦＦ信号ＣＮＴとライン同期信号ＴＧ−ＩＮＶは非同期で供給し、ランプＯＮ／ＯＦＦ信号ＣＮＴのＯＮ，ＯＦＦは任意の時間とする。
【００４３】
図７はライン同期信号ＴＧ−ＩＮＶ、ＧＡＴＥ及びＣＬＫとインバータ出力光波形のタイミングを示したものである。図７に示すＴ１及びＴ２が休止期間で、必要原稿面照度に応じてこの休止期間を設けることにより１ライン当りの点灯パルス数を任意の値に設定することができる。図７においてＧＡＴＥ信号を制御し、ランプ休止期間の終了タイミング、ＣＬＫ信号を制御し、ランプ点灯パルス発生タイミングを切り替えることにより主走査方向のランプ点灯パルス発生タイミングを任意に制御することができる。
【００４４】
図８及び図９は、ランプパルス発生タイミングのシフト間隔を読み取りモード（カラー／白黒、文字／写真等）に応じて変更する場合の制御信号のタイミングを示すタイミングチャートである。ランプ点灯周波数と必要原稿面照度に応じて初期状態の休止期間の開始及び終了タイミングを図７のように制御していた場合に、ＣＬＫ信号を制御しライン同期信号ＴＧ−ＩＮＶに対してライン毎にランプ点灯パルス発生タイミングを任意の周期で副走査方向にパルス発生位置が重複しないように制御する。初期状態のタイミング０に対してタイミング間隔をシフトさせる場合の一例を示す。
【００４５】
副走査ｎライン目でタイミング０（実線）、ｎ＋１ライン目でタイミング１（一点鎖線）、ｎ＋２ライン目でタイミング２（点線）、ｎ＋３ライン目でタイミング３（破線）、・・  ・・  ・というように任意のシフト間隔でパルス発生位置が重複しないようにタイミング制御することにより副走査方向の縦白筋が拡散され、、ランプ点灯ノイズによる副走査方向の縦白筋を軽減することができる。なお、図８においては、一例としてタイミング制御をシフト間隔１．５μｓ、副走査３ライン周期でタイミング０〜３の４通りの場合を示したが、本発明においては任意のシフト間隔で、副走査ｎライン周期でタイミング０〜ｎ−１のｎ通りのように任意の複数タイミングにより制御を行ってもよい。ただし任意の複数タイミングにより制御を行う場合に、１ライン当りの点灯パルス数が各ラインにおいて一致するように制御する。
【００４６】
また、ランプ点灯パルス発生タイミングのシフト間隔を読み取りモード（カラー／白黒、文字／写真等）に応じて変更する。一例としてタイミング制御をシフト間隔０．７５μｓ、副走査３ライン周期でタイミング０〜３の４通りの場合を図９に示す。例えばカラー／写真モード等のようにランプ点灯ノイズによる副走査方向の縦白筋が発生しやすいモードにおいては主走査方向のシフト間隔が大きくなるように制御することにより副走査方向の縦白筋が拡散され、縦白筋の発生濃度レベルを小さくすることができる。また白黒／文字モード等のようにランプ点灯ノイズによる副走査方向の縦白筋が発生しにくいモードにおいては、主走査方向のシフト間隔が小さくなるように制御する。
【００４７】
ランプパルス発生タイミングのシフトステップ数を読み取りモード（カラー／白黒、文字／写真等）に応じて変更する場合の制御信号のタイミングを図１０及び図１１のタイミングチャートに示す。
【００４８】
ランプ点灯周波数と必要原稿面照度に応じて初期状態の休止期間の開始及び終了タイミングを図７に示したタイミングで制御していた場合に、ＧＡＴＥ信号及びＣＬＫ信号を制御し、ライン同期信号ＴＧ−ＩＮＶに対してライン毎にランプ点灯パルス発生タイミングを任意の周期で副走査方向にパルス発生位置が重複しないように制御する。初期状態のタイミング０に対してタイミングのシフトステップ数を変更する場合の一例が図１０である。
【００４９】
副走査ｎライン目でタイミング０（実線）、ｎ＋１ライン目でタイミング１（破線）、ｎ＋２ライン目でタイミング２（一点鎖線）、ｎ＋３ライン目でタイミング３（二点鎖線）、ｎ＋４ライン目でタイミング４（点線）、ｎ＋５ライン目でタイミング５（一点鎖線）、・・・・・のように任意のシフトステップ数（図１０では主走査方向にシフト間隔０．７５μｓ）でパルス発生位置が重複しないようにタイミング制御することにより副走査方向の縦白筋が拡散され、ランプ点灯ノイズによる副走査方向の縦白筋を軽減することができる。
【００５０】
なお、図１０においては、一例としてタイミング制御をシフト間隔０．７５μｓ、シフトステップ数６ステップでタイミング０〜５の６通りの場合を示したが、本発明においては任意のシフト間隔、任意のシフトステップ数、副走査ｎライン周期でタイミング０〜ｎ−１のｎ通りのように任意の複数タイミングにより制御を行ってもよい。ただし任意の複数タイミングにより制御を行う場合に、１ライン当りの点灯パルス数が各ラインにおいて一致するように制御する。
【００５１】
また、ランプ点灯パルス発生タイミングのシフトステップ数を読み取りモード（カラー／白黒、文字／写真等）に応じて変更する。一例としてタイミング制御をシフト間隔０．７５μｓ、副走査３ライン周期でタイミング０〜３の４通りの場合を図１１に示す。例えばカラー／写真モード等のようにランプ点灯ノイズによる副走査方向の縦白筋が発生しやすいモードにおいては主走査方向のシフトステップ数が大きくなるように制御することにより副走査方向の縦白筋が拡散され、縦白筋の発生濃度レベルを小さくすることができる。また白黒／文字モード等のようにランプ点灯ノイズによる副走査方向の縦白筋が発生しにくいモードにおいては、主走査方向のシフトステップ数が小さくなるように制御する。
【００５２】
また、ランプ点灯パルス発生タイミングの切り替えＯＮ／ＯＦＦを読み取りモード（カラー／白黒、文字／写真等）に応じて制御することもできる。例えばカラー／写真モード等のようにランプ点灯ノイズによる副走査方向の縦白筋が発生しやすいモードにおいては、図８及び図１０に示すように主走査方向のシフト量及び副走査方向の制御ライン周期を制御することにより副走査方向の縦白筋が拡散され、縦白筋の発生濃度レベルを小さくすることができる。また白黒／文字モード等のようにランプ点灯ノイズによる副走査方向の縦白筋が発生しにくいモードにおいては、ランプ点灯パルス発生タイミングの切り替え制御をＯＦＦする。
【００５３】
本実施形態では、スキャナＳＣと自動両面原稿搬送装置ＡＲＤＦから構成され画像読み取り装置を例示しているが、この画像読み取り装置は単体でネットワークに接続されて使用され、あるいは、画像形成手段（不図示）と一体または別体に設置されて画像形成装置の読み取り装置として使用することもできる。
【００５４】
以上のように、本実施形態によれば、
１）各ラインの読み取り開始タイミングを規定するライン同期信号ＴＧ−ＩＮＶにインバータの発振回路ＩＣ１、ＦＥＴ１を同期制御させてランプ１３３を点灯させる同期点灯において、ランプ点灯パルス発生タイミングを１ライン当りの点灯パルス数が一定になるように切り替えているので、任意のシフト間隔で副走査方向にランプ点灯パルス発生位置が重複しないように制御することができる。  
２）ランプ点灯パルス発生タイミングのシフト間隔を読み取りモード（カラー／白黒、文字／写真等）に応じて変更することにより、副走査方向にランプ点灯パルス発生位置が重複しないように制御しているので、ランプ点灯ノイズによる副走査方向の縦白筋の発生を軽減することができる。  
３）ランプ点灯パルス発生タイミングのシフトステップ数を読み取りモード（カラー／白黒、文字／写真等）に応じて変更することにより、副走査方向にランプ点灯パルス発生位置が重複しないように制御しているので、ランプ点灯ノイズによる副走査方向の縦白筋の発生を軽減することができる。  
４）ランプ点灯パルス発生タイミングの切り替えＯＮ／ＯＦＦを読み取りモード（カラー／白黒、文字／写真等）に応じて制御することにより、副走査方向にランプ点灯パルス発生位置が重複しないように制御しているので、ランプ点灯ノイズによる副走査方向の縦白筋の発生を軽減することができる。  
５）クロック信号をインバータの外部から入力することにより、発信回路が温度の影響を受けないようにしているので、インバータ構成部品の温度特性変動による発信周波数の変動を軽減することができる。  
などの効果を奏する。
【００５５】
＜第２の実施形態＞
図１２ないし図１９は、本発明の第２の実施形態に係るカラー画像読み取り装置を説明するためのものである。なお、カラー画像読み取り装置自体、インバータ回路、動作などは第１の実施形態において図１ないし図７を参照して説明したものと同等に構成されている。以下、第１の実施形態における図１ないし図７の構成を前提として説明し、図１ないし図７に関する説明は省略する。
【００５６】
図１２は本発明の第２の実施形態におけるランプ点灯制御の制御回路の回路構成を示すブロック図、図１３は図１２の回路の動作手順を示すフローチャートである。図１２に示した制御回路は、ランプ（光源）２、ランプ２を点灯するためのインバータ２０１、原稿画像を読み取るＣＣＤ１００、Ａ／Ｄ回路２０２、画像処理回路２０３、画像データ比較回路部２０４、及び周波数切り換え回路部２０５から基本的に構成されている。
【００５７】
図１２の制御回路では、図１３のフローチャートにも示すように図示しない本体制御部からのランプ点灯信号により、ランプ２をインバータ周波数ｆ１で点灯して（ステップＳ１０１）、ＣＣＤ１００で読み取る（ステップＳ１０２）。ＣＣＤ出力のＡ／Ｄ変換されたデジタルデータは、画像データ比較回路部２０４に入力され、入力された画像データは、予め設定してあるＣＣＤ出力目標値と比較される（ステップＳ１０３）。この比較で、目標値と画像データが等しくない場合は、再度ＣＣＤの出力データを読み取る（ステップＳ１０３→ステップＳ１０２）。目標値と画像データが等しくなった場合は、インバータに入力されている周波数をｆ１→ｆ０へ変更して（ステップＳ１０４）から、コピー動作に入り（ステップＳ１０５）、コピー動作終了後ランプが消灯される（ステップＳ１０６）。コピー動作は画像処理部２０３で行われる。
【００５８】
従来の露光ランプでは、ランプ立ち上がり時には、図１４に示すようにＣＣＤ出力が一定になるまでに時間が掛かっていたが、図１３のフローチャートに示したようにランプの点灯周波数を点灯時の周波数ｆ１と、目標値と一致した後の周波数ｆ０に切り換えると図１５に示すように、立ち上がり時のランプ光量立ち上がりが早くなり、従来よりも早くＣＣＤ出力を安定させることができる。
【００５９】
図１６は図１２の制御回路の変形例を示すブロック図、図１７は図１６の制御回路の動作手順を示すフローチャートである。この変形例は図１２の周波数切り換え回路部２０５に代えて周波数演算回路部２０６としたものである。これにより、ＣＣＤ出力のＡ／Ｄ変換されたデジタルデータは、画像データ比較回路部２０４に入力され、入力された画像データは、予め設定してあるＣＣＤ出力目標値と比較され、目標値と画像データが等しくない場合は（ステップＳ１０３−ＮＯ）、目標値との差分を演算して、次段の周波数演算回路部２０６に送られる。周波数演算部２０６では、予めＲＯＭ１０９（図３参照）に格納されたプログラムに基づき、次の周波数が決定される。そして、ステップＳ１０２に戻り、前記決定された周波数で画像読み取りを行う。この動作を繰り返し、目標値が読み取り値に一致した時点でコピー行う（ステップＳ１０３，Ｓ１０５）。その他、特に説明しない各部及び動作は前述の図１２及び図１３で説明した通りである。
【００６０】
ここで、画像データ比較部２０４と周波数演算部２０６について、もう少し詳しく説明する。  
点灯周波数と光源発光量は温度因子を除けば、周波数増→光源発光量増、周波数減→光源発光量減の関係がある。周波数変更を行う場合、予めＲＯＭ１０９にプログラムを格納しておく。図示しない濃度基準板（基準白板）を読み、Ａ／Ｄ変換された後の値の狙い値をα、実測値をβとする。α−βを演算し、狙い値に対する差分Δβを、
Δβ＝α−β
により求める。このΔβのテーブルを図１９に示す。テーブルには各Δβ（各数値は＊＊以上）に対する、選択すべき周波数変更量ΔｆＫＨｚが決められている。例えば、
Δβ＝−２６
であると、テーブル内Ｎｏ．２の−３０に対応する値、
Δｆ２＝−１５ＫＨｚ
を選択し、現在の点灯周波数がｆ＝１００ＫＨｚであると、
ｆ＋Δｆ２＝８５ＫＨｚ
となり、点灯周波数を減少し、減光することが可能である。
【００６１】
一方、
Δβ＝１５
であると、テーブル内Ｎｏ．６の１０に対応する値、
Δｆ６＝＋５ＫＨｚ
を選択する。
【００６２】
現在の点灯周波数がｆ＝１００ＫＨｚであると、
ｆ＋Δｆ２＝１０５ＫＨｚ
となり、点灯周波数を増加し、増光するすることが可能である。
【００６３】
周波数演算部で決定された結果に基づき、インバータに入力している周波数を変更し、インバータに送られランプ光量を変更し、再びＣＣＤからの画像データを確認すし、目標値と等しくなるまで、前記動作が繰り返される。目標値と画像データが等しくなった場合は、コピー動作に入り、コピー動作終了後ランプが消灯される。前記動作は、ランプを点灯時に行うものとする。
【００６４】
従来のランプでは、ランプ立ち上がり時には、図１４に示すようにランプ光量立上りが遅く、ＣＣＤ出力が一定になるまでに時間が掛かっていたが、前記フローのように、ランプの点灯周波数を制御することで、図１８に示すように、立ち上がり時のランプ光量立上りが早くなり、従来よりも早くＣＣＤ出力を安定させることができる。また周波数の変更については、高い周波数から低い周波数への変更でも良いし、低い周波数から高い周波数へ変更するようにしても良い。
【００６５】
その他、特に説明しない各部は前述の第１の実施形態と同等に構成され、同等に機能する。
【００６６】
以上のように、本実施形態によれば、
１）露光ランプの最大光量での点灯の立上り時には、前記制御回路部からのパルスの周波数を、最小光量での点灯パルス周波数より高くする様に制御することで、露光ランプ立ち上がり時の立ち上がり時間を早くし、早く光量が安定するようにできる。  
２）露光ランプの光量変更は、前記ＣＣＤからのデータに基づいて、前記制御部からのパルス周波数を変更することにより、必要なＣＣＤ出力レベルが早く安定するようにできる。  
３）露光ランプの点灯立ち上がり時のＣＣＤからのデータが一定の出力になるように、前記パルス周波数を変更することにより、必要なＣＣＤ出力レベルが早く安定するようにできる。  
４）露光ランプ立ち上がり時のパルス周波数の変更は、数段階分割して変更していくことで、よりスムーズな光量変更ができる。  
という効果を奏する。
【図面の簡単な説明】
【００６７】
【図１】本発明の第１の実施形態に係るカラー画像読み取り装置の全体構成を示す図である。
【図２】本実施形態に係るカラー画像読み取り装置の全体的な構成を示すブロック図である。
【図３】本実施形態に係るカラー画像読み取り装置の全体的な構成を示すブロック図である。
【図４】インバータを使用したランプ点灯回路の回路構成を示す図である。
【図５】図４におけるインバータの回路構成の一例を示す図である。
【図６】ランプＯＮ／ＯＦＦ信号ＣＮＴとライン同期信号ＴＧ−ＩＮＶのタイミングを示すタイミングチャートである。
【図７】ライン同期信号ＴＧ−ＩＮＶ、ＧＡＴＥ及びＣＬＫとインバータ出力光波形のタイミングを示すタイミングチャートである。
【図８】ランプパルス発生タイミングのシフト間隔を読み取りモード（カラー／白黒、文字／写真等）に応じて変更する場合の制御信号のタイミングを示すタイミングチャートである。
【図９】ランプパルス発生タイミングのシフト間隔を読み取りモード（カラー／白黒、文字／写真等）に応じて変更する場合の制御信号の他のタイミングを示すタイミングチャートである。
【図１０】ランプパルス発生タイミングのシフトステップ数を読み取りモード（カラー／白黒、文字／写真等）に応じて変更する場合の制御信号のタイミングを示すタイミングチャートである。
【図１１】ランプパルス発生タイミングのシフトステップ数を読み取りモード（カラー／白黒、文字／写真等）に応じて変更する場合の制御信号の他のタイミングを示すタイミングチャートである。
【図１２】本発明の第２の実施形態におけるランプ点灯制御の制御回路の回路構成を示すブロック図である。
【図１３】図１２の回路の動作手順を示すフローチャートである。
【図１４】従来の露光ランプのランプ立ち上がり時の時間とＣＣＤ出力との関係を示す図である。
【図１５】第２の実施形態における露光ランプのランプ立ち上がり時の時間とＣＣＤ出力との関係を示す図である。
【図１６】図１２の制御回路の変形例を示すブロック図である。
【図１７】図１６の制御回路の動作手順を示すフローチャートである。
【図１８】図１６の制御回路における露光ランプのランプ立ち上がり時の時間とＣＣＤ出力との関係を示す図である。
【図１９】周波数変更を行う場合のΔβとΔｆとの関係を記憶したテーブルを示す図である。
【符号の説明】
【００６８】
２，１３３  ランプ（光源）
７  ＳＣＵ
１０  ＳＢＵ
１００  ＣＣＤ
１０１  アナログ処理回路
１０２，２０２  Ａ／Ｄコンバータ
１０３  シェーディング部
１０４  ＩＰＵ
１０５  メモリコントローラ
１０６  ＳＤＲＡＭ
１０８  ＣＰＵ
１０９  ＲＯＭ
１１０  ＲＡＭ
１１１  ＮＶＲＡＭ
１３０  定電圧電源
１３１，２０１  インバータ
１３２  昇圧トランス
１３５  点灯制御部
２０３  画像処理部
２０４  画像データ比較部
２０５  周波数切り換え回路部
２０６  周波数演算回路部
【図１】
2006211124.tif 000003
【図２】
2006211124.tif 000004
【図３】
2006211124.tif 000005
【図４】
2006211124.tif 000006
【図５】
2006211124.tif 000007
【図６】
2006211124.tif 000008
【図７】
2006211124.tif 000009
【図８】
2006211124.tif 000010
【図９】
2006211124.tif 000011
【図１０】
2006211124.tif 000012
【図１１】
2006211124.tif 000013
【図１２】
2006211124.tif 000014
【図１３】
2006211124.tif 000015
【図１４】
2006211124.tif 000016
【図１５】
2006211124.tif 000017
【図１６】
2006211124.tif 000018
【図１７】
2006211124.tif 000019
【図１８】
2006211124.tif 000020
【図１９】
2006211124.tif 000021